(57)【要約】【課題】  平面状態での使用のみならず、立体化することにより、遠くからでも視認し易いゴルフマーカーを提供する。【解決手段】  ストッパー６を備えた基底部材１、上蓋３、屹立部材５をこの順に蝶番２、蝶番４で連結し、立体化させることを可能としたゴルフマーカー。【選択図】図１
2011036623.tif 000002
【特許請求の範囲】
【請求項１】
円形又は多角形状の平面を備えた平板上の基底部材、同基底部材の一部の辺に設けられた第一の連結具を介して回転可能に一部の辺で連結された上蓋、同上蓋の前記基底部との連結部分と対向する一部の辺に設けられた第二の連結具を介して回転可能に一部の辺で連結された屹立部材とから成り、前期基底部材は前期第一の連結具が設けられた辺と対向する辺に平面と直交する方向に立ち上がった支持片を備え、前記上蓋は上側に位置する面が凸状に湾曲しかつ平面断面の直径が前記基底部材と同じ大きさの形状に形成され、前記屹立部材は前期基底部材の平面より小さい平板で形成されていることを特徴とするゴルフマーカー。
【請求項２】
前記基底部材は磁性材料で形成されていることを特徴とする請求項１記載のゴルフマーカー。
【請求項３】
前記上蓋と屹立部材とは互いに異なる色彩の面を備えていることを特徴とする請求項１または２のいずれか記載のゴルフマーカー。
【請求項４】
前記基底部材の直径が８ｃｍ以下で厚さが８ｍｍ以下であることを特徴とする請求項１乃至３のいずれか記載のゴルフマーカー。
【発明の詳細な説明】
【技術分野】
【０００１】  本発明はゴルフマーカー関するものである。
【背景技術】
【０００２】  グリーン上でのプレーに際し、ボールの位置をマークするため用いられてきた従来のゴルフマーカーについて説明する。従来のゴルフマーカーとしては、グリーン上に単に置くだけのコイン状のタイプのもの、基底部から突起を垂下させてグリーン上に突き刺すタイプのものがあるが、現在はこれらのゴルフマーカーの使用が主流である。
また、後者のグリーン上に突き刺すタイプのものを改良したもので、特開２０００−５１４２１号に記載されているマーカーで、埋め込み部を有する基盤部の一端部にヒンジ部により回転可能にされた起立部を備えたタイプのゴルフマーカーもある。
【特許文献】
【０００３】
【特許文献１】特開２０００−５１４２１号公報
【発明の概要】
【発明が解決しようとする課題】
【０００４】  現在主流のグリーン上に置くタイプ、及びグリーン上に突き刺すタイプのゴルフマーカーは主として平板状であるため、これらのタイプのゴルフマーカーをグリーン上に置いたり突き刺したりした際に、ゴルフマーカーが芝生に埋没する。そのためプレーヤー或いはキャディーはこのゴルフマーカーを視認し難くなり、特に遠くからラインを読む場合、グリーン外でプレーの順番を待ち、自分のプレーのときにグリーン上に上がる際にマーカーの位置が視認し難い等の問題点があった。特に、視力が衰える高齢のプレーヤーにとっては、より切実な問題となっている。【０００５】  また、特開２０００−５１４２１号公報記載のゴルフマーカーは、埋め込み部を有するため、ポケット等に入れた場合、埋め込み部と基盤部とが立体形状を構成するので、体に圧力を与え、グリーン外でのショットの際に違和感を与える。さらにこのゴルフマーカーは、起立部を立ち上げることにより上記のタイプのゴルフマーカーの欠点であった芝生への埋没を防ぎ、視認し易くしてはいるが、起立部の平面方向に直交する方向である側面方向等、プレーヤー等の見る角度によってはプレーヤー等にとって視認し難い場合がある。さらにまた、このゴルフマーカーの起立部を頻繁に開いたり閉じたりすると経年変化によりヒンジの回転抵抗が低下して起立部を起立させた状態で保持することができなくなる。
本発明は、以上のような問題点を解消すること、即ち、持ち運びには何の支障もなく、グリーン上に置いた際にあらゆる角度からその位置を容易に確認することができるゴルフマーカーを提供することを目的としてなされたものである。
【課題を解決するための手段】
【０００６】  本発明は、上記目的を達成するため、円形又は多角形状の平面を備えた平板上の基底部材、同基底部材の一部の辺に設けられた第一の連結具を介して回転可能に一部の辺で連結された上蓋、同上蓋の前記基底部との連結部分と対向する一部の辺に設けられた第二の連結具を介して回転可能に一部の辺で連結された屹立部材とから成り、前期基底部材は前期第一の連結具が設けられた辺と対向する辺に平面と直交する方向に立ち上がった支持片を備え、前記上蓋は上側に位置する面が凸状に湾曲しかつ平面断面の直径が前記基底部材と同じ大きさの形状に形成され、前記屹立部材は少なくとも前期基底部材の平面より小さい平板で形成されたゴルフマーカーを提供する。【０００７】  さらに本発明は、上記基底部材は磁性材料で形成されているゴルフマーカー、また上記上蓋と屹立部材とは互いに異なる色彩の面を備えたゴルフマーカー、さらにまた上記基底部材の直径が８ｃｍ以下で厚さが８ｍｍ以下であるゴルフマーカーを提供している。
【発明の効果】
【０００８】  上記構造のゴルフマーカーによれば、上蓋と基底部材は蝶番等の第一の連結具を介して回転可能に連結されているので、基底部材に重なって覆う状態の閉止位置と基底部材から屹立した状態の屹立位置との間で開閉可能であり、屹立部材と上蓋は蝶番等の第一の連結具を介して回転可能に連結されているので、上蓋と基底部材が閉止状態にあるときには屹立部材は上蓋と基底部材との間に収納され、上蓋が屹立すると同時に屹立部材も屹立させることができる。そのため、このゴルフマーカーを立体化させることができ、遠くからでも明確に視認することが可能となり、芝生のライン読みも容易となる上、三角状態に屹立し、さらに上蓋に膨らみを持たせ、蓋と屹立部材とは互いに異なる色彩の面を備えているので、側面から眺めた場合でも、容易に視認できることが可能となる。さらに、上述の通り開閉可動を可能としたことで、屹立部材を屹立させる必要がないときには、上蓋を閉じたままでの使用もでき、突起等もないことから携帯することも容易である。さらにまた、基底部材は磁性材料で形成されているので、帽子等に付けられた磁力を持った台座に張り付けることもでき、マーカーの保持が容易となる。【０００９】  また、屹立部材に図柄等を描くことにより、色々な色彩を保持しているのでグリーン上の色彩と補色関係の色彩により容易にマーカーを視認することができ、さらにプレーをより楽しいものとすることができるほか、会社等のロゴマーク等を描けば、宣伝効果を兼ねた記念品などとしても用いることができる。
【発明を実施するための最良の形態】
【００１０】  以下、図１乃至図４に記載された実施例に基づいて本発明を具体的に説明する。
図１は、ゴルフマーカーの展開図であり、図２はゴルフマーカーを閉じたときの斜視図、図３はゴルフマーカーを立体化させたときの斜視図、図４はゴルフマーカーを立体化させたとき状態の側面図である。【００１１】  図１乃至図４において、１は直径が約２ｃｍの円形で厚さが約１ｍｍの磁性金属で形成された基底部材である。この基底部材１の辺には第一の連結具としての蝶番２が設けられて、円形で直径が基底部材１と同じ大きさの金属で形成された上蓋３が蝶番２を介して基底部材１に抵抗なく回転するように連結されている。上蓋３の基底部材１に連結する辺と対向する辺に第二の連結具としての蝶番４が設けられて、円形で直径が基底部材１及び上蓋３より小さい金属で形成された屹立部材５が蝶番４を介して上蓋３に抵抗なく回転するように連結されている。【００１２】  基底部材１の蝶番２が設けられている辺と対向する辺には、基底部材１の平面に対して略直交する方向に突出した支持片であるストッパー６が設けられている。上蓋３は、閉じたときに基底部材１と接する側の面と反対の面が凸状に湾曲していて、上蓋３、屹立部材５の面には互いに色彩が異なるデザイン画が描かれている。【００１３】  図１に示すゴルフマーカーは、通常は、屹立部材５を回転させて屹立部材５と上蓋３との面どうしを当接させ、さらに屹立部材５が当接した状態で上蓋３を回転させて屹立部材５の他の面を基底部材１の面に当接させて、図２に示す状態に折りたたみ、ストッパー６で上蓋３を押さえて上蓋３が開かないようにした状態で、ポケット内、或いは帽子の鍔に固定された磁力を持った台座に固着して保持する。【００１４】  ゴルフボールがグリーン上に乗ると、ゴルフマーカーを取り出して、ボールとカップを結ぶ線上でボールの後ろ側にゴルフマーカーを置く。ゴルフマーカーをグリーン上に置く祭に、ストッパー６から上蓋３を開放して図３に示すように三角形状の立体に組み立て、立体の状態でグリーン上に置く。ただし、ボールがカップに近くパートナーのプレーの邪魔になりそうな場合は、カップの近くのゴルフマーカーを置く場合はカップが目印となってゴルフマーカーは視認しやすいのでゴルフマーカーを閉じた状態で置いても良い。【００１５】  ゴルフマーカーを立体化させてグリーン上に置くことにより、遠くからでも明確に視認することが可能となり、芝生のライン読みも容易となる上、三角状態に屹立し、さらに上蓋３に膨らみを持たせ、上蓋３と屹立部材５とは互いに異なる色彩の面を備えているので、側面から眺めた場合でも、容易に視認できることが可能となる。さらに、上述の通り開閉可動を可能としたことで、屹立部材５を屹立させる必要がないときには、上蓋３を閉じたままでの使用もでき、突起等もないことから携帯することも容易である。さらにまた、基底部材１は磁性材料で形成されているので、帽子等に付けられた磁力を持った台座に張り付けることもでき、マーカーの保持が容易となる。さらに屹立部材５に図柄等を描くことにより、色々な色彩を保持しているのでグリーン上の色彩と補色関係の色彩により容易にマーカーを視認することができ、さらにプレーをより楽しいものとすることができるほか、会社等のロゴマーク等を描けば、宣伝効果を兼ね��記念品などとしても用いることができる。さらに、強風の日にはゴルフマーカーを展開し、ストッパーを下向きにして置くことによりストッパー部分が芝生に突き刺さり、風に煽られて飛ばされることもなくなり、また、形状も鎖状に長くなるので視認し易くなる。【００１６】  以上ゴルフマーカーを実施例に基づいて具体的に説明したが、本発明はこの実施例に限定されるものではなく、基底部材１の大きさは２ｃｍに限定されるものではなく、持ち運びの利便や、遠くからの見やすさ等を考慮すると約１．５ｃｍから約８ｃｍ程度にしてもよく、上蓋３、屹立部材５に用いる素材は、ステンレスなどの金属のほか、合成樹脂を用いてもよい。また、基底部材１、上蓋３および屹立部材５は円形に限定されず、楕円形や多角形等の円に近い形状でもよく、特に屹立部材５には人や動物等をかたどったフィギュアや乗り物等のミニチュアを用いることもできる。【００１７】  さらにまた、屹立部材５と上蓋３を連結している蝶番４にバネの機能を持ったものを採用することにより、基底部１と上蓋３を開いた瞬間に屹立部材５が自動的にせり出し、ゴルフマーカーがワンタッチで立体化する機構を設けてもよく、ゴルフマーカーが泥などで汚れた場合には簡単に水洗いすることが出来、その際、内部に水分が残留しないように上蓋３に通気のための小さな孔をあける、或いは多孔性の材料を利用しても良い。
【図面の簡単な説明】
【００１８】
【図１】  本発明の実施例の展開図
【図２】  本発明の実施例を閉じたときの斜視図
【図３】  本発明の実施例を立体化させたときの斜視図
【図４】  本発明の実施例を立体化させたときの側面図
【符号の説明】
【００１９】    １  基底部材
２  蝶番（第一の連結具）
３  上蓋
４  蝶番（第二の連結具）
５  屹立部材
６  ストッパー（支持片）
【図１】
2011036623.tif 000003
【図２】
2011036623.tif 000004
【図３】
2011036623.tif 000005
【図４】
2011036623.tif 000006